(57)【要約】　　　（修正有）【課題】色変換の画質の向上。【解決手段】元画像Ｏを、その中の低濃度画像Ｒを消去した補正画像Ｐに変換する機能を持つ低濃度画像除去４５Ａ；および、補正画像Ｐを色変換画像Ｐｏｕｔに色変換４５Ｂ；を備える。更に、元画像Ｏと補正画像Ｐの一方を指定する手段を備え、色変換４５Ｂは、指定があった画像Ｏ／Ｐを、色変換処理する。原稿表面の元画像０，低濃度画像Ｒおよび裏面の元画像０に基づいて裏面の低濃度画像Ｒを生成し、裏面の元画像０に対する裏面の低濃度画像Ｒの差分Ｏ−Ｒを裏面の補正画像Ｐとして生成する機能を持つ。低濃度画像Ｒ対応部位を除外した画像の色を指定色に定めて補正画像Ｐを指定色に色変換する。【選択図】　図８
2004112141.tif 000002
【特許請求の範囲】
【請求項１】
元画像情報を、それが表わす画像上の設定条件を満たす低濃度画像の画像データを該低濃度画像を消去した画像を表す画像データに補正した補正画像情報、に変換する機能を持つ低濃度画像除去手段；および、
前記補正画像情報を、指定色に色変換する色変換処理を加えた画像情報に変換する機能を持つ色変換手段；を備える画像処理装置。
【請求項２】
更に、元画像情報と補正画像情報の一方を指定する手段；を備え、前記色変換手段は、指定があった画像情報を、指定色に色変換する色変換処理を加えた画像情報に変換する；請求項１に記載の画像処理装置。
【請求項３】
更に、原稿の表面の画像を読み取り、そして裏面の画像を読取って各面の元画像情報を発生することができる原稿スキャナ；および、
表面の元画像情報，該元画像情報に対する該表面の補正画像情報との差分である表面の低濃度画像、および、裏面の元画像情報、に基づいて裏面の低濃度画像を生成し、裏面の元画像情報に対する該裏面の低濃度画像の差分を裏面の補正画像情報として生成する機能を持つ；請求項１又は２に記載の画像処理装置。
【請求項４】
前記色変換手段は、補正画像情報に色変換処理を加える場合には、補正画像情報の、ユーザが指定した領域内の、低濃度画像対応部位を除外した画像の色を指定色に定めて、前記補正画像情報を指定色に色変換する；請求項１乃至３のいずれかに記載の画像処理装置。
【請求項５】
更に、前記低濃度画像除去手段が低濃度画像摘出に用いる閾値を表示する手段；および、ユーザが該閾値を増減するための入力手段；を備える、請求項１乃至４のいずれかに記載の画像処理装置。
【請求項６】
請求項１乃至５のいずれかに記載の画像処理装置；その色変換手段が変換した画像情報を画像形成用の画像データに変換する画像データ処理手段；および、該画像形成用の画像データに基づいて用紙上に可視画像を形成する作像手段；を備える画像形成装置。
【発明の詳細な説明】
【０００１】
【発明の属する技術分野】
本発明は、画像の色変換処理装置に関し、特に、裏写り除去能と色変換とを行う機能がある画像処理装置、ならびに、それを用いる画像形成装置に関する。この画像処理装置は、例えば、原稿スキャナやデジタルカメラなどの撮像装置，その画像データを処理するパソコン，プリンタ，複写機，ファクシミリ等に用いることができる。
【０００２】
【従来技術】
【特許文献１】特開２００１−１７２８３５号公報には、ＣＧ（Ｃｏｍｐｕｔｅｒ　Ｇｒａｐｈｉｃｓ）によって、図形，文字，写真などの画像に着色したり、色修正を行う画像の色変換を開示している。オペレータがディスプレイ上の対象像を指定して、登録がある色を指定して対象像に色付け又は色変換をするための、登録色の表示順序変更および新たな色の登録を行う色指定装置が開示されている。
【０００３】
【特許文献２】特開２００１−９２９５６号公報は、デジタルカメラ，スキャナ，ディスプレイの画像上の特定対象物の代表色を検出し、それを分析して、代表色およびその近傍付近の色のみに色補正を施す自動色補正装置を提示している。
【０００４】
【特許文献３】特開２００２−１１８７６３号公報は、ＲＧＢ画像データを、プリンタの出力特性（色表現特性）にあわせた色変換によって記録色ｃｍｙｋデータに変換する場合の、色校正方法を提示している。
【０００５】
【特許文献４】特開２００２−１４２１２８号公報は、文書画像を、色むらが表れるのを防止するために、色数を限定して単純色に色変換するための、文書領域および代表色の検出を開示している。
【０００６】
【特許文献５】特開２００２−１４２１２８号公報は、自然画像を所望の色相，彩度に変換する調整方法を提示している。
【０００７】
これらの色変換の他にも、例えばカラー複写機において、ユーザが画像上の特定のエリアを指定してそのエリアの原稿色を登録し、以後登録された色でコピーする機能がある（原稿色読み取り）。このような原稿色読み取り処理により、ある特定の色（たとえばあるコーポレートカラー）でコピーすることが可能である。この原稿色読み取りにおいては、予め指定したエリアの読み取り値より原稿色の値を決める。また、ユーザの「文字」モード／「写真」モードの指定に対応して、或いは自動の文字領域／写真領域判定に対応して、カラー画像データを単色／フルカラーに切換える色変換や、領域対応のユーザ指定色に変換する画像データ変換もある。
【０００８】
ところが、画像上には裏画像，ノイズ画像，汚れ画像，地汚れなど生ずることがある。このような裏写りを消去するために、多くの裏写り除去機能あるいは地肌除去機能が既に提案されている。例えば、特開２００１−１６９０８０号公報の画像処理は、ユーザが裏写りの程度や紙質に応じて、裏写り除去の閾値を設定する。特開２００１−３１３８３２号公報の画像形成制御は、画像の種類によって裏写り除去の閾値を選択する。本出願人も、前記画像データ補正機能を特開２００２−７７６０７号公報および特開２００２−１１２０３３号公報に開示した。
【０００９】
【特許文献６】また本出願人の特開２００１−１６９０８０号公報には、片面上の画像情報のみに基づいて、該片面上の裏写り画像を抽出して、それを除去した画像を生成する方法を開示した。
【００１０】
【発明が解決しようとする課題】
画像の色変換をする場合、裏画像，ノイズ画像，汚れ画像，地汚れなど（以下では、単に裏画像と、又は裏画像等と表現する）があり、そこも正常な画像と同様に、定濃度色に変換されると、裏画像等がある原画像よりも更に画像が乱れることが考えられる。また、原画像上の特定領域の画像色および濃度を検出して登録し、画像の一部領域又は全体を、登録色に色変換する場合に、該特定領域に裏画像等があると、登録色が正常な画像の色，濃度とは異なってしまう。
【００１１】
本発明は、色変換の画質を向上することを目的とする。
【００１２】
【課題を解決するための手段】
（１）元画像情報（Ｏ）を、それが表わす画像上の設定条件を満たす低濃度画像の画像データを該低濃度画像を消去した画像を表す画像データに補正した補正画像情報（Ｐ）、に変換する機能（Ｐ４５Ａｐ）を持つ低濃度画像除去手段（４５Ａ）；および、
前記補正画像情報（Ｐ）を、指定色に色変換する色変換処理を加えた画像情報（Ｐｏｕｔ）に変換する機能を持つ色変換手段（４５Ｂ）；を備える画像処理装置。
【００１３】
なお、理解を容易にするためにカッコ内には、図面に示し後述する実施例の対応要素又は相当要素の記号もしくは対応事項を、例示として参考までに付記した。以下も同様である。
【００１４】
これによれば、裏画像等を除去した補正画像情報（Ｐ）に基づいて色変換処理を行うことができるので、裏写り等の影響を受けることなく、高画質の色変換画像を得ることが出来る。
【００１５】
【発明の実施の形態】
（２）更に、元画像情報（Ｏ）と補正画像情報（Ｐ）の一方を指定する手段（２０の７９の４３３）；を備え、前記色変換手段（４５Ｂ）は、指定があった画像情報（Ｏ／Ｐ）を、指定色に色変換する色変換処理を加えた画像情報に変換する；上記（１）に記載の画像処理装置。
【００１６】
これによれば、色変換処理において低濃度画像除去処理を使用するか否を指定することが出来ることによって、原画像に適した色変換処理を行うことが出来るようにる。
【００１７】
（３）更に、原稿の表面の画像を読み取り、そして裏面の画像を読取って各面の元画像情報を発生することができる原稿スキャナ（１０）；および、
表面の元画像情報（０），該元画像情報（０）に対する該表面の補正画像情報（Ｐ）との差分（Ｏ−Ｐ）である表面の低濃度画像（Ｒ）、および、裏面の元画像情報（０）、に基づいて裏面の低濃度画像（Ｒ）を生成し、裏面の元画像情報（０）に対する該裏面の低濃度画像（Ｒ）の差分（Ｏ−Ｒ）を裏面の補正画像情報（Ｐ）として生成する機能（図１４の３５，３６）を持つ；上記（１）又は（２）に記載の画像処理装置。
【００１８】
原稿の表面の画像と裏面の画像を読み取る場合には、読み取りが後になる裏面の画像読み取りにおいて、事前に分かっている表面の、元画像情報（０）および低濃度画像（Ｒ）に基づいて、裏面の元画像情報の低濃度画像除去を行うため、裏面の元画像情報のみに基づく低濃度画像検出が省略となり、裏面の色変換処理の所要時間を短縮することができる。
【００１９】
（４）前記色変換手段（４５Ｂ）は、補正画像情報（Ｐ）に色変換処理を加える場合には、補正画像情報（Ｐ）の、ユーザが指定した領域内の、低濃度画像（Ｒ）対応部位を除外した画像の色を指定色に定めて、前記補正画像情報（Ｐ）を指定色に色変換する（図１４の４０〜４４）；上記（１）乃至（３）のいずれかに記載の画像処理装置。
【００２０】
これによれば、指定領域内でも、裏画像等を除外した画像情報に基づいて指定色を定めるので、精度のよく指定色が定まる。色変換処理画像の画質が向上する。
【００２１】
（５）更に、前記低濃度画像除去手段（４５Ａ）が低濃度画像摘出に用いる閾値（Ｔｈ．ｖａｌｕｅ）を表示する手段（７９）；および、ユーザが該閾値を増減するための入力手段（３２２，３２３，３２９）；を備える、上記（１）乃至（４）のいずれかに記載の画像処理装置。これによれば、低濃度画像摘出レベルを適切な値に、ユーザが調整できる。
【００２２】
（６）上記（１）乃至（５）のいずれかに記載の画像処理装置（ＩＰＰ）；その色変換手段（４５Ｂ）が変換した画像情報（Ｐｏｕｔ）を画像形成用の画像データに変換する画像データ処理手段（ＡＣＰ）；および、該画像形成用の画像データに基づいて用紙上に可視画像を形成する作像手段（１００）；を備える画像形成装置。
【００２３】
これによれば、画像の色変換およびプリントアウトにおいて、上記（１）乃至（５）のいずれかに記載の作用効果が得られる。
【００２４】
（７）元画像情報（Ｏ）を、それが表わす画像上の設定条件を満たす低濃度画像（裏画像等）の画像データを該低濃度画像を消去した画像を表す画像データに補正した第１画像情報（Ｐ）に変換し、該低濃度画像を示す第２画像情報（Ｒｒ）を発生する、低濃度画像除去手段（４５Ａ）；
第１画像情報（Ｐ）を、指定色に色変換する色変換処理を加えた色変換後画像情報（Ｐｏｕｔ）に変換する機能を持つ色変換手段（４５Ｂ）；および、
元画像情報（Ｏ），第１画像情報（Ｐ），第２画像情報（Ｒｒ）および色変換後画像情報（Ｐｏｕｔ）が表す画像を面上（３２８）に表す画像出力手段（２０）；を備える画像処理装置。
【００２５】
これによれば、画像出力手段（２０）によって、各画像が表示される。ユーザは各画像を視認して誤った画像除去，色変換があるかの確認をすることができる。
【００２６】
（８）前記画像出力手段（２０）は、画像を面表示するディスプレイ（７９）および該ディスプレイにどの画像を表示するかをユーザが選択指定する表示画像選択手段（３１８，３１９）を含む；上記（７）。
【００２７】
本発明の他の目的および特徴は図面を参照した以下の実施例の説明により明らかになろう。
【００２８】
【実施例】
図１に、本発明の１実施例の複合機能フルカラーデジタル複写機の外観を示す。このフルカラー複写機は、大略で、自動原稿送り装置（ＡＤＦ）３０と、操作ボード２０と、カラースキャナ１０と、カラープリンタ１００の各ユニットで構成されている。ステープラ及び作像された用紙を積載可能なトレイ付きのフィニッシャ３４と、両面ドライブユニット３３と、増設給紙バンク３５と、大容量給紙トレイ３６は、プリンタ１００に装着されているが、これらはプリンタ１００から分離可能な周辺ユニットであり、各々動力機器ドライバやセンサ入力およびコントローラを有する制御ボードを有して、画像形成装置本体であるプリンタ１００の制御ボード（のプロセスコントローラ１３１：図４）と直接または間接に通信を行いタイミング制御されて用紙の送給，搬送の動作を行う。なお、操作ボード２０と、ＡＤＦ３０付きのカラースキャナ１０もプリンタ１００から分離可能なユニットであり、カラースキャナ１０も動力機器ドライバやセンサ入力およびコントローラを有する制御ボードを有して、プリンタ１００の制御ボードと直接または間接に通信を行いタイミング制御されて原稿画像の読み取りを行う。
【００２９】
機内の画像データ処理装置ＡＣＰ（図４）には、パソコンＰＣが接続したＬＡＮ（Ｌｏｃａｌ　Ａｒｅａ　Ｎｅｔｗｏｒｋ）が接続されており、ファクシミリコントロールユニットＦＣＵ（図４）には、電話回線ＰＮ（ファクシミリ通信回線）に接続された交換器ＰＢＸが接続されている。カラープリンタ１００のプリント済の用紙は、排紙トレイ１０８上またはフィニッシャ３４に排出される。
【００３０】
図２に、カラープリンタ１００の機構を示す。この実施例のカラープリンタ１００は、レーザプリンタである。このレーザプリンタ１００は、マゼンダ（Ｍ），シアン（Ｃ），イエロー（Ｙ）および黒（ブラック：Ｋ）の各色の画像を形成するための４組のトナー像形成ユニットが、転写紙の移動方向（図中の右下から左上方向ｙ）に沿ってこの順に配置されている。即ち、４連ドラム方式のフルカラー画像形成装置である。
【００３１】
これらマゼンダ（Ｍ），シアン（Ｃ），イエロー（Ｙ）および黒（Ｋ）のトナー像形成ユニットは、それぞれ、感光体ドラム１１１Ｍ，１１１Ｃ，１１１Ｙおよび１１１Ｋを有する感光体ユニット１１０Ｍ，１１０Ｃ，１１０Ｙおよび１１０Ｋと、現像ユニット１２０Ｍ，１２０Ｃ，１２０Ｙおよび１２０Ｋとを備えている。また、各トナー像形成部の配置は、各感光体ユニット内の感光体ドラム１１１Ｍ，１１１Ｃ，１１１Ｙおよび１１１Ｋの回転軸が水平ｘ軸（主走査方向）に平行になるように、且つ、転写紙移動方向ｙ（副走査方向）に所定ピッチの配列となるように、設定されている。
【００３２】
また、レーザプリンタ１００は、上記トナ−像形成ユニットのほか、レーザ走査による光書込ユニット１０２、給紙カセット１０３，１０４、レジストローラ対１０５、転写紙を担持して各トナ−像形成部の転写位置を通過するように搬送する転写搬送ベルト１６０を有する転写ベルトユニット１０６、ベルト定着方式の定着ユニット１０７、排紙トレイ１０８，両面ドライブ（面反転）ユニット３３等を備えている。また、レーザプリンタ１００は、図示していない手差しトレイ、トナ−補給容器、廃トナーボトル、なども備えている。
【００３３】
光書込ユニット１０２は、光源、ポリゴンミラー、ｆ−θレンズ、反射ミラー等を備え、画像データに基づいて各感光体ドラム１１１Ｍ，１１１Ｃ，１１１Ｙおよび１１１Ｋの表面にレーザ光を、ｘ方向に振り走査しながら照射する。また図２上の一点鎖線は、転写紙の搬送経路を示している。給紙カセット１０３，１０４から給送された転写紙は、図示しない搬送ガイドで案内されながら搬送ローラで搬送され、レジストローラ対１０５に送られる。このレジストローラ対１０５により所定のタイミングで転写搬送ベルト１６０に送出された転写紙は転写搬送ベルト１６０で担持され、各トナ−像形成部の転写位置を通過するように搬送される。
【００３４】
各トナー像形成部の感光体ドラム１１１Ｍ，１１１Ｃ，１１１Ｙおよび１１１Ｋに形成されたトナー像が、転写搬送ベルト１６０で担持され搬送される転写紙に転写され、各色トナー像の重ね合わせ即ちカラー画像が形成された転写紙は、定着ユニット１０７に送られる。すなわち転写は、転写紙上にじかにトナー像を転写する直接転写方式である。定着ユニット１０７を通過する時トナー像が転写紙に定着する。トナー像が定着した転写紙は、排紙トレイ１０８，フィニッシャ３６又は両面ドライブユニット３３に排出又は送給される。
【００３５】
イエローＹのトナ−像形成ユニットの概要を次に説明する。他のトナ−像形成ユニットも、イエローＹのものと同様な構成である。イエローＹのトナー像形成ユニットは、前述のように感光体ユニット１１０Ｙ及び現像ユニット１２０Ｙを備えている。感光体ユニット１１０Ｙは、感光体ドラム１１１Ｙのほか、感光体ドラム表面に潤滑剤を塗布するブラシローラ，感光体ドラム表面をクリーニングする揺動可能なブレード，感光体ドラム表面に光を照射する除電ランプ，感光体ドラム表面を一様帯電する非接触型の帯電ローラ、等を備えている。
【００３６】
感光体ユニット１１０Ｙにおいて、交流電圧が印加された帯電ローラにより一様帯電された感光体ドラム１１１Ｙの表面に、光書込ユニット１０２で、プリントデータに基づいて変調されポリゴンミラーで偏向されたレーザ光Ｌが走査されながら照射されると、感光体ドラム１１１Ｙの表面に静電潜像が形成される。感光体ドラム１１ＩＹ上の静電潜像は、現像ユニット２０Ｙで現像されてイエローＹのトナー像となる。転写搬送ベルト１６０上の転写紙が通過する転写位置では、感光体ドラム１１ＩＹ上のトナー像が転写紙に転写される。トナ−像が転写された後の感光体ドラム１１１Ｙの表面は、ブラシローラで所定量の潤滑剤が塗布された後、ブレードでクリーニングされ、除電ランプから照射された光によって除電され、次の静電潜像の形成に備えられる。
【００３７】
現像ユニット１２０Ｙは、磁性キャリア及びマイナス帯電のトナ−を含む二成分現像剤を収納している。そして、現像ケース１２０Ｙの感光体ドラム側の開口から一部露出するように配設された現像ローラや、搬送スクリュウ、ドクタブレード、トナ−濃度センサ，粉体ポンプ等を備えている。現像ケース内に収容された現像剤は、搬送スクリュウで攪拌搬送されることにより摩擦帯電する。そして、現像剤の一部が現像ローラの表面に担持される。ドクタブレードが現像ローラの表面の現像剤の層厚を均一に規制し、現像ローラの表面の現像剤中のトナーが感光体ドラムに移り、これにより静電潜像に対応するトナー像が感光体ドラム１１１Ｙ上に現われる。現像ケース内の現像剤のトナー濃度はトナ−濃度センサで検知される。濃度不足の時には、粉体ポンプが駆動されてトナーが補給される。
【００３８】
転写ベルトユニット１０６の転写搬送ベルト１６０は、各トナ−像形成部の感光体ドラム１１１Ｍ，１１１Ｃ，１１１Ｙおよび１１１Ｋに接触対向する各転写位置を通過するように、４つの接地された張架ローラに掛け回されている。張架ローラの１つが１０９である。これらの張架ローラのうち、２点鎖線矢印で示す転写紙移動方向上流側の入口ローラには、電源から所定電圧が印加された静電吸着ローラが対向するように配置されている。これらの２つのローラの間を通過した転写紙は、転写搬送ベルト１６０上に静電吸着される。また、転写紙移動方向下流側の出口ローラは、転写搬送ベルトを摩擦駆動する駆動ローラであり、図示しない駆動源に接続されている。また、転写搬送ベルト１６０の外周面には、電源から所定のクリーニング用電圧が印加されたバイアスローラが接触するように配置されている。このバイアスローラにより転写搬送ベルト１６０上に付着したトナ−等の異物が除去される。
【００３９】
また、感光体ドラム１１１Ｍ，１１１Ｃ，１１１Ｙおよび１１１Ｋに接触対向する接触対向部を形成している転写搬送ベルト１６０の裏面に接触するように、転写バイアス印加部材を設けている。これらの転写バイアス印加部材は、マイラ製の固定ブラシであり、各転写バイアス電源から転写バイアスが印加される。この転写バイアス印加部材で印加された転写バイアスにより、転写搬送ベルト１６０に転写電荷が付与され、各転写位置において転写搬送ベルト１６０と感光体ドラム表面との間に所定強度の転写電界が形成される。
【００４０】
転写搬送ベルト１６０で搬送され、感光体ドラム１１１Ｍ，１１１Ｃ，１１１Ｙおよび１１１Ｋに形成された各色トナー像が転写された用紙は、定着装置１０７に送り込まれてそこで、トナー像が加熱，加圧によって用紙に熱定着される。熱定着後、用紙は左側板の上部のフィニッシャ３４への排紙口３４ｏｔからフィニッシャ３４に送り込まれる。又は、プリンタ本体の上面の排紙トレイ１０８に排出される。
【００４１】
４個の感光体ドラムの中の、マゼンダ像，シアン像およびイエロー像形成用の感光体ドラム１１１Ｍ，１１１Ｃおよび１１１Ｙは、図示しないカラードラム駆動用の１個の電気モータ（カラードラムモータ；カラードラムＭ：図示略）により、動力伝達系及び減速機（図示略）を介して１段減速にて駆動される。ブラック像形成用の感光体ドラム１１１Ｋはブラックドラム駆動用の１個の電気モータ（Ｋドラムモータ：図示略）により、動力伝達系及び減速機（図示略）を介して１段減速にて駆動される。また、転写搬送ベルト１６０は、上記Ｋドラムモータによる動力伝達系を介した転写駆動ローラの駆動により、回動移動する。従って、上記Ｋドラムモータは、Ｋ感光体ドラム１１Ｋと転写搬送ベルト６０を駆動し、上記カラードラムモータは、Ｍ，Ｃ，Ｙ感光体ドラム１１Ｍ，１１Ｃ，１１Ｙを駆動する。
【００４２】
また、Ｋ現像器１２０Ｋは、定着ユニット１０７を駆動している電気モータ（図示略）で、動力伝達系およびクラッチ（図示略）を介して駆動される。Ｍ，Ｃ，Ｙ現像器１２０Ｍ，１２０Ｃ，１２０Ｙは、レジストローラ１０５を駆動する電気モータ（図示略）で、動力伝達系およびクラッチ（図示略）を介して駆動される。現像器１２０Ｍ，１２０Ｃ，１２０Ｙ，１２０Ｋは絶えず駆動されている訳ではなく、所定タイミングを持って駆動出来る様、上記クラッチにより駆動伝達を受ける。
【００４３】
再度図１を参照する。フィニッシャ３４は、スタッカトレイすなわち積載降下トレイ３４ｈｓおよびソートトレイ群３４ｓｔを持ち、積載降下トレイ３４ｈｓに用紙（プリント済紙，転写済紙）を排出するスタッカ排紙モードと、ソートトレイ群３４ｓｔに排紙するソータ排紙モードを持つ。
【００４４】
プリンタ１００からフィニッシャ３４に送り込まれた用紙は、左上方向に搬送されそして上下逆Ｕ字型の搬送路を経て、下向きに搬送方向を切換えてから、設定されているモードに応じて、スタッカ排紙モードのときには排出口から積載降下トレイ３４ｈｓに排出される。ソータ排紙モードのときには、ソータトレイ群３４ｓｔの、そのとき排出中の用紙が割り当てられたソータトレイに排出される。
【００４５】
ソータ排紙モードが指定されるとフィニッシャ内排紙コントローラは、最下部の重ね待避位置に置いたソートトレイ群３４ｓｔを、図１上で２点鎖線で示す使用位置に上駆動し、ソータトレイ間の間隔を広げる。ソータ排紙モードでは、１回（一人）の設定枚数の複写又はプリントは、部ソートにソータ排紙モードが設定されているときには、同一原稿（画像）をプリントした各転写紙をソートトレイ群３４ｓｔの各トレイに仕分け収納する。頁ソートにソータ排紙モードが設定されているときには、各トレイを各頁（画像）に割り当てて、同一頁をプリントした各転写紙を１つのソートトレイに積載する。
【００４６】
図３に、スキャナ１０およびそれに装着されたＡＤＦ３０の、原稿画像読み取り機構を示す。このスキャナ１０のコンタクトガラス２３１上に置かれた原稿は、照明ランプ２３２により照明され、原稿の反射光（画像光）が第１ミラー２３３で副走査方向ｙと平行に反射される。照明ランプ２３２および第１ミラー２３３は、図示しない、副走査方向ｙに定速駆動される第１キャリッジに搭載されている。第１キャリッジと同方向にその１／２の速度で駆動される、図示しない第２キャリッジには第２および第３ミラー２３４，２３５が搭載されており、第１ミラー２３３が反射した画像光は第２ミラー２３４で下方向（ｚ）に反射され、そして第３ミラー２３５で副走査方向ｙに反射されて、レンズ２３６により集束され、ＣＣＤ２０７に照射され、電気信号に変換される。第１および第２キャリッジは、走行体モータ２３８を駆動源として、ｙ方向に往（原稿走査），復（リタ−ン）駆動される。
【００４７】
スキャナ１０には、自動原稿供給装置ＡＤＦ　３０が装着されている。ＡＤＦ３０の原稿トレイ２４１に積載された原稿は、ピックアップローラ２４２およびレジストローラ対２４３で搬送ドラム２４４と押さえローラ２４５の間に送り込まれて、搬送ドラム２４４に密着して読み取りガラス２４０の上を通過し、そして排紙ローラ２４６，２４７Ａ，２４７Ｂで、原稿トレイ２４１の下方の圧板兼用の排紙トレイ２４８上に排出される。原稿は、読み取りガラス２４０を通過する際に、その直下に移動している照明ランプ２３２により照射され、原稿の反射光は、第１ミラー２３３以下の光学系を介してＣＣＤ２０７に照射され光電変換される。
【００４８】
両面複写又は両面読み取りが指定されている場合には、表面（原稿トレイ２４１に積載された状態で上面）の読み取りを終えて排紙ローラ２４６，２４７Ａ，２４７Ｂで、排紙トレイ２４８上に排出するときに、原稿の尾端が反転送り切換え爪２５２を通過し、かつ排紙ローラ２４７Ａは通過しないタイミングで原稿の搬送が停止され、そして切換え爪２５２を点線位置に切り換えて、排紙ローラ２４７Ａ，２４７Ｂが逆回転駆動される。これにより、原稿の尾端の表面が反時計方向に回転している搬送ドラム２４４に密着して、今度は裏面を上面にして原稿が読み取りガラス２４０の上を通過し、そして排紙ローラ２４６，２４７Ａ，２４７Ｂで、原稿トレイ２４１の下方の圧板兼用の排紙トレイ２４８上に排出される。
【００４９】
読み取りガラス２４０と原稿始端の位置決め用のスケール２５１との間には、白基準板２３９、ならびに、第１キャリッジを検出する基点センサ２４９がある。白基準板２３９は、照明ランプ２３２の個々の発光強度のばらつき，また主走査方向のばらつきや、ＣＣＤ２０７の画素毎の感度ムラ等が原因で、一様な濃度の原稿を読み取ったにもかかわらず、読み取りデータがばらつく現象を補正（シェーディング補正）するために用意されている。このシェーディング補正は、まず白基準板２３９を原稿スキャン前に主走査方向１ライン分読み取り、この読み取った白基準データをメモリに記憶し、原稿画像を読み取るときは、原稿をスキャンした画素毎に、画像データを前記メモリ上の対応する白基準データで割り算するものである。
【００５０】
図４に、図１に示す複写機の画像処理系統のシステム構成を示す。このシステムでは、読取ユニット１１と画像データ出力Ｉ／Ｆ（Ｉｎｔｅｒｆａｃｅ：インターフェイス）１２でなるカラー原稿スキャナ１０が、画像データ処理装置ＡＣＰの画像データインターフェース制御ＣＤＩＣ（以下単にＣＤＩＣと表記）に接続されている。画像データ処理装置ＡＣＰにはまた、カラープリンタ１００が接続されている。カラープリンタ１００は、画像データ処理装置ＡＣＰの画像データ処理器ＩＰＰ（Ｉｍａｇｅ　Ｐｒｏｃｅｓｓｉｎｇ　Ｐｒｏｃｅｓｓｏｒ；以下では単にＩＰＰと記述）から、書込みＩ／Ｆ１３４に記録画像データを受けて、作像ユニット１３５でプリントアウトする。作像ユニット１３５は、図２に示すものである。
【００５１】
画像データ処理装置ＡＣＰ（以下では単にＡＣＰと記述）は、パラレルバスＰｂ，画像メモリアクセス制御ＩＭＡＣ（以下では単にＩＭＡＣと記述），画像メモリＭＥＭ（メモリモジュール＆ハードディスク；以下では単にＭＥＭと記述），システムコントローラ１，ＲＡＭ４，不揮発メモリ５，フォントＲＯＭ６，ＣＤＩＣ，ＩＰＰ等、を備える。パラレルバスＰｂには、ファクシミリ制御ユニットＦＣＵ（以下単にＦＣＵと記述）を接続している。操作ボード２０はシステムコントローラ１に接続している。
【００５２】
カラー原稿スキャナ１０の、原稿を光学的に読み取る読取ユニット１１は、原稿に対するランプ照射の反射光をセンサボードユニットＳＢＵ上のＣＣＤで光電変換してＲ，Ｇ，Ｂ画像データを生成し、ＲＧＢ画像データに変換しかつシェーディング補正して、出力Ｉ／Ｆ１２を介してＣＤＩＣに送出する。
【００５３】
ＣＤＩＣは、画像データに関し、出力Ｉ／Ｆ１２，パラレルバスＰｂ，ＩＰＰ間のデータ転送，プロセスコントローラ１３１とＡＣＰの全体制御を司るシステムコントローラ１との間の通信をおこなう。また、ＲＡＭ１３２はプロセスコントローラ１３１のワークエリアとして使用され、不揮発メモリ１３３はプロセスコントローラ１３１の動作プログラム等を記憶している。
【００５４】
ＭＥＭには、半導体メモリの他に、多くの画像データを収納するためハードディスクもある。ハードディスクを用いる事により、外部電源が不要で永久的に画像を保持できる特徴もある。多くの原稿の画像をスキャナで読み込んでハードディスクに保持し、また、ＰＣが与える多くのドキュメント画像を保持できる。
【００５５】
画像メモリアクセス制御ＩＭＡＣ（以下では単にＩＭＡＣと記述）は、ＭＥＭに対する画像データの書き込み／読み出しを制御する。システムコントローラ１は、パラレルバスＰｂに接続される各構成部の動作を制御する。また、ＲＡＭ４はシステムコントローラ１のワークエリアとして使用され、不揮発メモリ５はシステムコントローラ１の動作プログラム等を記憶している。
【００５６】
操作ボード２０は、ＡＣＰがおこなうべき処理を入力する。たとえば、処理の種類（複写、ファクシミリ送信、画像読込、プリント等）および処理の枚数等を入力する。これにより、画像データ制御情報の入力をおこなうことができる。
【００５７】
スキャナ１０の読取ユニット１１より読み取った画像データは、スキャナ１０のＳＢＵ（センサボードユニット）でシェーディング補正を施してから、ＩＰＰで、スキャナガンマ補正，フィルタ処理などの、読取り歪を補正する画像処理を施してから、ＭＥＭに蓄積する。ＭＥＭの画像データをプリントアウトするときには、ＩＰＰにおいてＲＧＢ信号をＹＭＣＫ信号に色変換し、プリンタガンマ変換，階調変換，および、ディザ処理もしくは誤差拡散処理などの階調処理などの画質処理をおこなう。画質処理後の画像データはＩＰＰから書込みＩ／Ｆ１３４に転送される。書込みＩ／Ｆ１３４は、階調処理された信号に対し、パルス幅とパワー変調によりレーザー制御をおこなう。その後、画像データは作像ユニット１３５へ送られ、作像ユニット１３５が転写紙上に再生画像を形成する。
【００５８】
ＩＭＡＣは、システムコントローラ１の制御に基づいて、画像データとＭＥＭのアクセス制御，ＬＡＮ上に接続した図示しないパソコンＰＣ（以下では単にＰＣと表記）のプリント用データの展開，ＭＥＭの有効活用のための画像データの圧縮／伸張をおこなう。
【００５９】
ＩＭＡＣへ送られた画像データは、データ圧縮後、ＭＥＭに蓄積され、蓄積された画像データは必要に応じて読み出される。読み出された画像データは、伸張され、本来の画像データに戻しＩＭＡＣからパラレルバスＰｂを経由してＣＤＩＣへ戻される。ＣＤＩＣからＩＰＰへの転送後は画質処理をして書込みＩ／Ｆ１３４に出力し、作像ユニット１３５において転写紙上に再生画像を形成する。
【００６０】
画像データの流れにおいて、パラレルバスＰｂおよびＣＤＩＣでのバス制御により、デジタル複合機の機能を実現する。ファクシミリ送信は、スキャナ１０で読取られた画像データをＩＰＰにて画像処理を実施し、ＣＤＩＣおよびパラレルバスＰｂを経由してＦＣＵへ転送することによりおこなわれる。ＦＣＵは、通信網へのデータ変換をおこない、それを公衆回線ＰＮへファクシミリデータとして送信する。ファクシミリ受信は、公衆回線ＰＮからの回線データをＦＣＵにて画像データへ変換し、パラレルバスＰｂおよびＣＤＩＣを経由してＩＰＰへ転送することによりおこなわれる。この場合、特別な画質処理はおこなわず、書込みＩ／Ｆ１３４から出力し、作像ユニット１３５において転写紙上に再生画像を形成する。
【００６１】
複数ジョブ、たとえば、コピー機能，ファクシミリ送受信機能，プリンタ出力機能が並行に動作する状況において、読取ユニット１１，作像ユニット１３５およびパラレルバスＰｂの使用権のジョブへの割り振りは、システムコントローラ１およびプロセスコントローラ１３１において制御する。プロセスコントローラ１３１は画像データの流れを制御し、システムコントローラ１はシステム全体を制御し、各リソースの起動を管理する。また、デジタル複合機の機能選択は、操作ボード２０においておこなわれ、操作ボード２０の選択入力によって、コピー機能，ファクシミリ機能等の処理内容を設定する。
【００６２】
システムコントローラ１とプロセスコントローラ１３１は、パラレルバスＰｂ，ＣＤＩＣおよびシリアルバスＳｂを介して相互に通信をおこなう。具体的には、ＣＤＩＣ内においてパラレルバスＰｂとシリアルバスＳｂとのデータ，インターフェースのためのデータフォーマット変換をおこなうことにより、システムコントローラ１とプロセスコントローラ１３１間の通信を行う。
【００６３】
各種バスインターフェース、たとえばパラレルバスＩ／Ｆ　７、シリアルバスＩ／Ｆ　９、ローカルバスＩ／Ｆ　３およびネットワークＩ／Ｆ　８は、ＩＭＡＣに接続されている。コントローラーユニット１は、ＡＣＰ全体の中での独立性を保つために、複数種類のバス経由で関連ユニットと接続する。
【００６４】
システムコントローラ１は、パラレルバスＰｂを介して他の機能ユニットの制御をおこなう。また、パラレルバスＰｂは画像データの転送に供される。システムコントローラ１は、ＩＭＡＣに対して、画像データをＭＥＭに蓄積させるための動作制御指令を発する。この動作制御指令は、ＩＭＡＣ，パラレルバスＩ／Ｆ７、パラレルバスＰｂを経由して送られる。
【００６５】
この動作制御指令に応答して、画像データはＣＤＩＣからパラレルバスＰｂおよびパラレルバスＩ／Ｆ　７を介してＩＭＡＣに送られる。そして、画像データはＩＭＡＣの制御によりＭＥＭに格納されることになる。
【００６６】
一方、ＡＣＰのシステムコントローラ１は、ＰＣからのプリンタ機能としての呼び出しの場合、プリンタコントローラとネットワーク制御およびシリアルバス制御として機能する。ネットワーク経由の場合、ＩＭＡＣはネットワークＩ／Ｆ８を介してプリント出力要求データを受け取る。
【００６７】
汎用的なシリアルバス接続の場合、ＩＭＡＣはシリアルバスＩ／Ｆ　９経由でプリント出力要求データを受け取る。汎用のシリアルバスＩ／Ｆ　９は複数種類の規格に対応しており、たとえばＵＳＢ（Ｕｎｉｖｅｒｓａｌ　Ｓｅｒｉａｌ　Ｂｕｓ）、１２８４または１３９４等の規格のインターフェースに対応する。
【００６８】
ＰＣからのプリント出力要求データはシステムコントローラ１により画像データに展開される。その展開先はＭＥＭ内のエリアである。展開に必要なフォントデータは、ローカルバスＩ／Ｆ　３およびローカルバスＲｂ経由でフォントＲＯＭ６を参照することにより得られる。ローカルバスＲｂは、このコントローラ１を不揮発メモリ５およびＲＡＭ４と接続する。
【００６９】
シリアルバスＳｂに関しては、ＰＣとの接続のための外部シリアルポート２以外に、ＡＣＰの操作部である操作ボード２０との転送のためのインターフェースもある。これはプリント展開データではなく、ＩＭＡＣ経由でシステムコントローラ１と通信し、処理手順の受け付け、システム状態の表示等をおこなう。
【００７０】
システムコントローラ１とＭＥＭおよび各種バスとのデータ送受信は、ＩＭＡＣを経由しておこなわれる。ＭＥＭを使用するジョブはＡＣＰ全体の中で一元管理される。
【００７１】
図５に示す様に、操作ボード２０には、面表示機能がありしかも入力読み取り機能がある液晶タッチパネル（以下では液晶ディスプレイ又はディスプレイと言うこともある）７９，テンキー８０ａ，クリア／ストップキー６０ｂ，スタートキー６０ｃ，モードクリアキー６０ｅ，テスト印刷キー８０ｆ、および、「複写」機能，「スキャナ」機能，「プリント」機能，「ファクシミリ」機能，「蓄積」機能，「編集」機能，「登録」機能およびその他の機能の選択用および実行中を表わす機能選択キー８０ｇがある。
【００７２】
操作ボード２０の電気制御系の主体は、システムコントローラ１とコミュニケーションし、操作ボード２０の入力を読取り、ボード上の表示を制御するＣＰＵ，このＣＰＵの制御プログラムが格納されているＲＯＭ，制御時にデータの一時格納等を行うためのＲＡＭ，液晶ディスプレイ７９の描画データを格納するＶＲＡＭ，このＶＲＡＭに接続され液晶ディスプレイ７９の描画タイミング制御等を行う液晶表示コントローラ（ＬＣＤＣ），時刻データを発生する時計ＩＣ等がある。操作ボード２０のＣＰＵには、操作キー群のキーマトリクス，表示ＬＥＤのＬＥＤマトリクスおよびそれらのＬＥＤを駆動するＬＥＤ駆動装置等が接続されている。また、操作ボード２０のＣＰＵが接続されたデータバスには、不揮発性ＲＡＭ（ＮＶＲＡＭ）が接続されている。
【００７３】
液晶ディスプレイ７９には、機能選択キー８０ｇで指定された機能に定まった入出力画面が表示され、例えば「複写」機能が指定されているときには、機能キー７９ａ，７９ｂ，「裏写り除去」入力窓３１１，「原稿色指定」入力窓３３２等々、ならびに部数及び画像形成装置の状態を示すメッセージが表示される。テスト印刷キー８０ｆは、設定されている印刷部数に関わらずに１部だけを印刷し、印刷結果を確認するためのキーである。
【００７４】
「文字」指定キー８０ｈは、画像が文章や線画などの２値画像とユーザが認めるときに選択操作され、「網点」指定キー８０ｉは、網点もしくは写真または絵画などの中間調あるいはグレイ表現のものと認めるときに選択操作される。「文字」指定があるときにはこれらの指定を表すデータ（１ビット信号）が高レベル「１」に、「網点」指定があるときには低レベル「０」になっている。「文字」指定があるときにはＩＰＰが、画像データに、文字や線を鮮明に表す処理を施し、「網点」指定があるときには、写真などの階調画像を滑らかに表す処理を施す。
【００７５】
また、初期設定キ−８０ｄが操作されると、各種初期値を設定するための「初期値設定」機能ならびに「ＩＤ設定」機能，「著作権登録／設定」機能および「使用実績の出力」機能、の選択メニューが表示される。
【００７６】
図６に、コピー指示入力待機画面（図５）を液晶ディスプレイ７９に表示しているときに、該画面上の「裏写り除去」入力窓３１１の裏写り除去ボタンに、ユーザが指又は入力ペンでタッチしたときに、操作ボード２０が液晶ディスプレイ７９に表示する「裏写り除去設定」用の入力画面を示す。
【００７７】
液晶ディスプレイ７９の上辺部には、裏写り除去入力の進行を指示するキー３１２〜３１６および原稿頁表示３１７があるタスクバー画像がある。「前へ」キー３１２は表示戻し指示キーであり、それにユーザがタッチすると、操作ボード２０は液晶ディスプレイ７９の表示を、現在の表示に切換わった直前の画面に戻す。「ＯＫ」キー３１３は、液晶ディスプレイ７９に頁表示（３１７）している原稿の、裏写りを除去した補正画像（又は元画像）のプリント出力を指示するキー（補正画像プリントスタートキー）である。「裏写り除去解除」キー３１４は、裏写り除去指定の解除、すなわち、「裏写り除去」入力窓３１１の表示をデフォルト（標準設定）の裏写り除去非指定状態に戻したコピー指示入力待機画面（図５）に液晶ディスプレイ７９の表示を戻すことを指示するものである。「裏写り除去解除」キー３１４にタッチがあると操作ボード２０は、裏写り除去ボタンを指定表示状態（点々の網掛け）から、非指定表示（網掛けなし）に切換えたコピー指示入力待機画面（図５）を液晶ディスプレイ７９に表示する。「次頁」キー３１５は、スキャナ１０がＡＤＦ３０にあった複数頁の原稿を連続して読み込んだ場合の、裏写り除去設定の原稿頁を、現在頁表示３１７に表示している頁の次の頁に切換えることを指示するキー、「前頁」キー３１６は前頁への切換え指示キーである。
【００７８】
液晶ディスプレイ７９の右辺部には、表示条件入力画面があり、その中に、「画像を確認」入力窓３３０，表示画像選択および裏写り閾値調整を行う表示窓３１９および３２４ならびに選択更新キー又はボタン３１８，３２９，アップダウンキー３２２，３２３および確定指示キー３２７がある。
【００７９】
「画像を確認」入力窓３３０の、画像を確認ボタンは、それにユーザがタッチすると指定表示状態（点々の網掛け）に切り換わり、これは、元画像を裏写りを除去した補正画像に変換してから、次に説明する設定条件の表示をしそしてユーザのプリント指示（ＯＫキー３１３のオン＝ユーザタッチ）を待って、それがあると補正画像をプリントをする表示モード、を指定するものである。画像を確認ボタンにユーザがタッチすると、非指定の表示状態（網掛けなし）に切り換わり、これは、元画像を補正画像に変更してから、次に説明する表示をすることなく、またユーザの再度の指示（ＯＫキー３１３のオン）を待つことなく、直ちに補正画像をプリントする非表示モード、を指定するものである。「画像を確認」入力窓３３０の「画像を確認」ボタンのデフォルトは、網掛け表示の、表示モード指定である。
【００８０】
画像表示領域３２８に画像を表示するモード（表示画像選択３１９）には、デフォルトの（標準に設定した）「除去後画像」の他に、「元画像」および「裏写り画像」がある。ユーザが選択更新キー３１８に一回タッチすると、表示窓３１９には「元画像」が表示される。更にタッチを繰り返すと、表示窓３１９の表示は「裏写り画像」に切り換わり、「裏写り画像」の次にはデフォルトの「除去後画像」に戻る。キー３１８はスクロールキーである。
【００８１】
表示窓３２４には、初期表示では、裏写り切り出し閾値Ｔｈ．　ｖａｌｕｅのデフォルト値が表示されるが、ユーザは、選択ボタン３２９にタッチして既定の、強い除去となる値，弱い除去となる値および標準値（デフォルト値）に簡易に切り換えることができる。また、アップダウンキー３２２，３２３にタッチして、閾値の値を最小単位づつ大きく或いは小さく変更できる。
【００８２】
ユーザが「ＯＫ」キー３２７にタッチすると、操作ボード２０は、そのとき窓３１９，３２４に表示している情報を、原稿の裏写り除去条件に設定して、システムコントローラ１が、スキャナ１０による画像読み取りを開始する。読み取った画像（Ｏ）はＭＥＭに書き込んで、読み取りを終了すると、読み込んだ原稿全頁の裏写り除去をして、裏写りを除去した補正画像（Ｐ）および除去した裏写り画像（Ｒｒ）をＭＥＭに書込む。この画像読み取りと除去処理に進むとき、すなわちユーザが「ＯＫ」キー３２７にタッチしたときに、「画像を確認」入力窓３３０の「画像を確認」ボタンが、指定状態の表示になっていたとき、すなわち表示モードの指定のときには、第１頁の裏写り処理結果を液晶ディスプレイ７９の画像表示領域３２８に表示する。このとき、液晶ディスプレイ７９の表示を、図７に示す処理結果表示画面に切換える。ユーザが「ＯＫ」キー３２７にタッチしたときに、「画像を確認」入力窓３３０の「画像を確認」ボタンが非指定状態の表示（非表示モードの指定）であった場合には、システムコントローラ１は、液晶ディスプレイ７９への画像表示（図７）には進まず、ＭＥＭに書込んだ補正画像のプリントアウトに進む。
【００８３】
図７に示す、表示モードで液晶ディスプレイ７９に表示する処理結果表示画面では、そのタイトルが「裏写り除去結果」と変わり、また、図６に示す「画像を確認」入力窓３３０は「元画像に戻す」入力窓３３１に切り換わる。図７に示す表示画像のＦｉｍが表画像（補正画像）、Ｒｉｍが裏画像（裏写り除去した画像）である。
【００８４】
画像表示領域３２８には、縦，横スクロールバーが表示されており、これらにタッチして滑らせることにより、領域３２８に表示する画像部分をスクロールすることができる。これにより、液晶ディスプレイ７９の表示サイズよりも大きいサイズの画像を領域３２８に表示可能にしている。
【００８５】
「元画像に戻す」入力窓３３１のデフォルトは、「元画像に戻す」ボタンが網掛けがない非指定状態すなわち「補正画像指定」であり、この状態でユーザがＯＫキー３１３にタッチすると、これは表示頁の補正画像のプリントアウト指示となる。ユーザが「元画像に戻す」入力窓３３１の「元画像に戻す」ボタンにたっちするとそれが網掛け表示の「元画像に戻す」を指定する状態になり、操作ボード２０は、画像表示領域３２８には元画像を切換え表示する。この元画像を表示した状態でユーザがＯＫキー３１３にタッチすると、これは表示頁の元画像のプリントアウト指示となる。
【００８６】
図８に、ＩＰＰの画像処理機能の概要を示す。スキャナ１０がＣＤＩＣを介して与える読取り画像デ−タは、ＳＢＵからＣＤＩＣを介してＩＰＰの入力Ｉ／Ｆ（インタ−フェイス）４１からスキャナ画像処理４２へ伝達される。読取りによる画像情報の劣化の補正を主目的にして、スキャナ画像処理４２は、スキャナγ補正およびＭＴＦ補正等を行う。補正処理ではないが、拡大／縮小の変倍処理も行う。読取り画像データの補正処理終了後、出力Ｉ／Ｆ４３を介してＣＤＩＣへ画像データを転送する。転写紙への出力（画像形成）は、ＣＤＩＣからの画像データを入力Ｉ／Ｆ４４より受け、画質処理４６に於いて面積階調処理を行う。画質処理後のデータは出力Ｉ／Ｆ４７を介して書込みＩ／Ｆ１３４へ出力される。面積階調処理は、濃度変換，ディザ処理，誤差拡散処理等が有り、階調情報の面積近似を主な処理とする。
【００８７】
一旦スキャナ画像処理４２を施した画像データをメモリＭＥＭに蓄積しておけば、画質処理４６で施す処理を変える事によって種々の再生画像を確認することができる。例えば再生画像の濃度を振ってみたり、ディザマトリクスの線数を変更してみたりする事で、再生画像の雰囲気を変更できる。この時処理を変更する度に画像をスキャナ１０で読み込み直す必要はなく、ＭＥＭから格納画像を読み出せば同一データに対し、何度でも異なる処理を実施できる。
【００８８】
図１の複写機のデフォルトモードである複写モードでは、操作ボード２０は、複写モードの入力画面（図５）を表示する。ここで複写枚数，濃度，倍率等々の複写条件の変更入力があるとそれを操作ボード２０が読み込む。また、「裏写り除去」窓３１１の「裏写り除去」ボタンにタッチがあると、操作ボード２０は、裏写り除去設定画面（図６）を切換え表示する。「原稿色指定」窓３１１の「原稿色指定」ボタンにタッチがあると、操作ボード２０は、原稿色指定設定画面（図１１）を切換え表示する。
【００８９】
これらの切り換え指示入力がないときに、スタートキー８０ｃがオンになると、システムコントローラ１は各部を「複写」に設定して、プロセスコントローラ１３１に複写制御を行わせる。この複写は一般的なものであり、ここでは裏写り除去ならびに原稿色指定による色変換は行わない。
【００９０】
「裏写り除去」窓３１１の「裏写り除去」ボタンにタッチがあったときには、操作ボード２０は、裏写り除去設定画面（図６）を切換え表示する。そして、操作ボード２０に対する入力を読み込む。ここで、液晶ディスプレイ７９の右辺部の表示条件入力画面にユーザの入力（タッチ）があるとそれに応答して表示条件入力画面を変更する。表示条件入力画面の「ＯＫ」キー３２７にタッチがあると、そのとき表示条件入力画面に表示している情報に、裏写り除去条件レジスタ（操作ボードの内部メモリの１領域）のデータを更新する。
【００９１】
ＯＫキー３１３にタッチがあると、あるいはコピースタートキー（８０ｃ）が操作されると、操作ボード２０は、裏写り除去条件レジスタの情報を付加して、スキャナ画像読み取りのコマンドをシステムコントローラ１に与える。
【００９２】
このとき「画像を確認」窓３３０の「画像を確認」ボタンが、「確認」指示があった表示状態であると、システムコントローラ１は、ＣＤＩＣとＩＭＡＣに、スキャナ読み取り画像データのＭＥＭへの書込みを設定し、プロセスコントローラ１３１を介してスキャナ１０に画像読み取りコマンドを与える。
【００９３】
これに応答してスキャナ１０は、ＡＤＦ３０に原稿があるとその読み取りを開始し、原稿の画像を画像データに変換してシェーディング補正してＣＤＩＣを経てＩＰＰに出力する。スキャナ１０はこの画像読み取りを、ＡＤＦ３０にある原稿の全てに順次に行い、全原稿の読み取りを終えるとこれをプロセスコントローラ１３１を介してシステムコントローラ１に報知する。「両面」（図５）が指定されていたときには、各原稿の表面の画像と裏面の画像を読み取る。すなわち両面読み取りを行う。この場合、表面の画像は奇数頁に、裏面の画像は偶数頁に頁付けが行われる。
【００９４】
ＡＤＦ３０にもともと原稿がなかった場合には、スキャナ１０は、キャリッジを走査駆動してコンタクトガラス上の原稿画像の読み取りを開始し、これを終えると終了を報知する。
【００９５】
ＣＤＩＣはスキャナ１０が発生する画像データをＩＰＰに送出し、ＩＰＰが処理した画像データをパラレルバスＰｂに送出するデータ転送を設定し、ＩＭＡＣがパラレルバスＰｂに送り出された画像データをＭＥＭに書込むデータ転送する。ＩＰＰは、スキャナ１０が発生する画像データを、スキャナ画像処理４２で処理してＣＤＩＣに出力し、ＣＤＩＣはデータ転送効率を高くするための１次圧縮をしてパラレルバスＰｂに送出し、ＩＭＡＣがパラレルバスＰｂに送出された１次圧縮データをメモリ格納効率を高くするための２次圧縮をしてＭＥＭに書込む。
【００９６】
スキャナ１０が画像読み取りを終えて、読み取り画像データがＭＥＭに書き込まれると、システムコントローラ１は、ＩＭＡＣ，ＣＤＩＣおよびＩＰＰに、ＭＥＭに書込んだ画像データに裏写り除去処理を施してその結果の画像データ（Ｏ，Ｑ，Ｒ）をＭＥＭに書込むデータ処理、を設定する。これに対応してＩＭＡＣは、書込んだ画像データ（複数頁ある場合には第１頁）をＭＥＭから読出してＩＰＰに与え、ＩＰＰの「裏写り除去」４５Ａで処理して、裏写りを除去した除去後（補正画像Ｐ）データおよび除去した画像を表す裏写り画像（Ｒｒ）データを発生し、これら２種の画像データ（２組の画像Ｐ，Ｒｒ）をＣＤＩＣに出力し、ＣＤＩＣがこれらを１次圧縮し、ＩＭＡＣが２次圧縮してＭＥＭに書込む。複数頁の原稿画像をＭＥＭに書き込んでいるときには、各頁の原稿に対して、上述の２組の画像データ（Ｐ，Ｒｒ）の生成とＭＥＭへの書込みを行う。これにより、ＭＥＭには、１頁の原稿の、スキャナが読み取った元画像（Ｏ），裏写りを除去した補正画像（Ｐ）および裏写り画像（Ｒｒ）の画像データが記録される。
【００９７】
図９に、ＩＰＰの「裏写り除去処理」４５Ａの処理機能「裏写り除去」４５Ａｐの概要を示す。「裏写り除去」４５Ａｐでは、「両面」の指定があると、今回の「裏写り除去」対象の画像が奇数頁（表画像）であると、「片面画像処理の裏写り除去」Ｐ４５Ａｐに進む（ステップ１−２−Ｐ４５Ａｐ）。この内容は、後述する。
【００９８】
なお、以下においては、カッコ内には、ステップと言う語を省略して、ステップＮｏ．記号のみを記す。
【００９９】
「両面」の指定がありしかも今回の「裏写り除去」対象の画像が偶数頁（裏画像）であると、その背面の表画像の「裏写り除去」が済んで、ＭＥＭに元画像Ｏ，裏写りを除去した補正画像Ｐおよび裏写り画像Ｒｒがあり、しかも、「裏写り除去」の処理の時に発生した元画像Ｏの縮小画像ＯｒがＭＥＭのワークエリアにあり、該裏写り画像Ｒｒは同じく縮小画像であるので、これら表画像の元画像Ｏｒのピーク値Ｂおよび裏写り画像Ｒｒのピーク値Ａと、今回の裏画像（元画像Ｏ）の縮小画像Ｏｒのピーク値Ｃを用いて、ピーク値Ｃが閾値ｄ（０より大きい設定値）以上であると、まず原稿の透過率Ａ／Ｃを算出し、それにＣを乗算した値Ａ・Ｂ／Ｃを算出する（３ａ，３ｂ）。原稿の透過率が高く背面（表面）の画像濃度が高いほど、Ａ・Ｂ／Ｃは大きい値を示し、背面（表面）の画像が今回処理対象の裏面の画像に、「裏画像」として現れている可能性が高い。そこで、Ａ・Ｂ／Ｃが、設定値である閾値Ｄ以上であると、Ａ・Ｂ／Ｃの信頼性が高いと判定して、表画像の元画像Ｏｒを左右反転して、それと透過率Ａ／Ｃから、裏画像上の裏写り画像Ｒｒを算出（推定演算）し（３ａ，３ｂ，４）、これを裏画像の元画像Ｏｒから差し引いて裏写り除去画像すなわち補正画像Ｐｒを生成する（５）。そして原サイズに拡大した補正画像ＰをＭＥＭに書込む（６）。
【０１００】
ピーク値Ｃが閾値ｄ未満であると、透過率Ａ／Ｃの信頼性が低いので、「片面画像処理の裏写り除去」Ｐ４５Ａｐに進む（３ａ−Ｐ４５Ａｐ）。Ａ・Ｂ／Ｃが閾値Ｄ未満であったときには、裏写りの可能性が低いかもしれないが、Ａ・Ｂ／Ｃの信頼性も低いと見なして、「片面画像処理の裏写り除去」Ｐ４５Ａｐに進む（３ｂ−Ｐ４５Ａｐ）。
【０１０１】
図１０に、「片面画像処理の裏写り除去」Ｐ４５Ａｐの概要を示す。この実施例の「片面画像処理の裏写り除去」Ｐ４５Ａｐは、前述の特開２００１−１６９０８０号公報に開示したものである。まず、ＭＥＭに書き込んだ元画像Ｏの、画像データの間引きにより解像度を縮小する（１１）。これによって現れる画像を縮小元画像Ｏｒと表現する。この縮小元画像Ｏｒのカラー座標系を、各軸成分データの独立性が高いものに変換する（１２）。
【０１０２】
次に画像上エッジ強度を計算する（１３）。閾値Ｔｈ．　ｖａｌｕｅを用いるエッジ強度の二値化処理により、エッジ強度が弱いエッジを検出し（１２）、エッジ強度が弱いエッジ周りの背景色画像を推定し（１５）、エッジ強度が弱いエッジを背景色画像に置き換える（Ｓ７）。これによって得られる画像が、裏写りを除去した擬似補正画像ｎＰｒである。
【０１０３】
次に、カラー座標変換した元画像Ｏｒと擬似補正画像ｎＰｒのエッジ強度の差分を算出してエッジ差分画像を生成する（１７，１８）。これは、不適切な処理により画像が劣化している個所ならびにエッジ強度が弱いエッジを背景色画像に置き換えたことによって新たに発生したエッジを検出する。それがあると、その周りの背景色画像を推定し（２０）、該当箇所を背景色画像に置き換える（２１）。そしてまた元画像Ｏｒと擬似補正画像ｎＰｒのエッジ強度の差分を算出してエッジ差分画像を生成する（１７，１８）。エッジ差分画像があるとまたステップ２０，２１，１７，１８，１９を繰り返す。そして、エッジ差分画像が生じなくなると、そのときの擬似補正画像ｎＰｒのカラー座標系を逆変換して、元のＲＧＢ系の画像に変換する（２２）。これによって裏写り画像除去後の画像すなわち補正画像Ｐｒが得られる。
【０１０４】
次に、裏写り除去した補正画像Ｐｒと縮小元画像Ｏｒの差分計算により裏写り画像Ｒｒを生成し（２３）、それを原元画像Ｏのサイズに拡大して、該元画像Ｏの、裏写り画像部位を補正画像Ｐｒの対応位置の背景色画像に置換した補正画像Ｐを生成して、裏写り画像ＲｒとともにＭＥＭに書き込む（２４）。
【０１０５】
上述の２組の画像データ（Ｐ，Ｒｒ）の生成とＭＥＭへの書込みを終えると、ＭＥＭには、１頁の画像毎に、元画像Ｏおよび２組の画像（Ｐ，Ｒｒ）、あわせて３組の画像のデータが存在する。ここでシステムコントローラ１は、ＭＥＭから補正画像データＰを読出してＩＰＰにおいて画質処理４６をしてプリンタ１００にあたえてプリントアウトするプリント処理モードを設定し、これをＩＭＡＣ，ＣＤＩＣ，プロセスコントローラ１３１（プリンタ１００）に実行させる。
【０１０６】
裏写り除去設定画面（図６）を表示しているときにＯＫキー３１３にタッチがあり、あるいはコピースタートキー（８０ｃ）が操作されたときに、「画像を確認」窓３３０の「画像を確認」ボタンが、確認指示があった表示状態であったときには、システムコントローラ１は、前述の「画像読み取り」および「裏写り除去」を実行するが、「裏写り除去」を終えて、上述の２組の画像データ（Ｐ，Ｒｒ）の生成とＭＥＭへの書込みを終えると、システムコントローラ１は、図７に示す裏写り除去結果の画面を操作ボード２０に表示して、まず第１頁の原稿に関して、操作ボード２０が裏写り除去条件レジスタに保持していた前述の裏写り除去条件にしたがって、「裏写り除去表示」を実行する。
【０１０７】
裏写り除去条件の中の表示画像選択が「除去後画像」の表示であると、システムコントローラ１は、ＩＭＡＣおよびＣＤＩＣを介して、裏写り除去後の画像すなわち補正画像ＰをＭＥＭから読出し、ＩＰＰによって、液晶ディスプレイ７９に画像表示するサイズに縮小をして、ＣＤＩＣおよびＩＭＡＣを介して、操作ボード２０に転送して表示させる。
【０１０８】
裏写り除去条件の中の表示画像選択が「元画像」の表示であると、システムコントローラ１は、ＩＭＡＣおよびＣＤＩＣを介して、元画像ＯをＭＥＭから読出し、ＩＰＰによって、液晶ディスプレイ７９に画像表示するサイズに縮小をして、ＣＤＩＣおよびＩＭＡＣを介して、操作ボード２０に転送して表示させる。
【０１０９】
裏写り除去条件の中の表示画像選択が「裏写り画像」の表示であると、システムコントローラ１は、ＩＭＡＣおよびＣＤＩＣを介して、裏写り画像ＲｒをＭＥＭから読出し、ＩＰＰによって、液晶ディスプレイ７９に画像表示するサイズに縮小をして、ＣＤＩＣおよびＩＭＡＣを介して、操作ボード２０に転送して表示させる。
【０１１０】
上記「裏写り除去表示」によって、元画像Ｏ，補正画像Ｐ又は裏写り画像Ｒｒが表示されると、ユーザは、補正画像の適否（裏写り除去の適否）を判断できる。
【０１１１】
ここでユーザが、裏写り除去条件を変更して「ＯＫ」キー３２７にタッチすると、操作ボード２０が「入力読み取り」でこれを読み込んで、そのとき液晶ディスプレイ７９に表示中の裏写り除去条件をレジスタに更新書き込みして、裏写り除去処理の再実行コマンドと裏写り除去条件をシステムコントローラ１に送信する。システムコントローラ１は、ＩＰＰによる裏写り除去処理を元画像データに再度適用して、新たに補正画像Ｐ，裏写り画像ＲｒをえてＭＥＭに更新書き込みしてから、再度、液晶ディスプレイ７９に表示中の裏写り除去条件で「裏写り除去表示」を実行する。
【０１１２】
上記「裏写り除去表示」で処理した補正画像Ｐを液晶ディスプレイ７９に表示しているときに、ユーザが「ＯＫ」キー３１３にタッチすると、又はコピースタートキー８０ｃを操作すると、操作ボード２０がこれを読み取ってシステムコントローラ１に報知すると、システムコントローラ１は、ＩＭＡＣおよびＣＤＩＣを介して、ＭＥＭより補正画像Ｐを読出し、ＩＰＰの「画質処理」４６によってプリンタ１００でプリントするに適した記録用の画像データに変換して、プリンタ１００によってプリントアウトさせる。このプリントアウトは、コピー入力モードのときに設定されたコピー枚数分行う。
【０１１３】
上記「裏写り除去表示」で処理した補正画像Ｐを液晶ディスプレイ７９に表示しているときに、次頁キー３１５にタッチがあり、次頁の元画像データがＭＥＭにあったときには、システムコントローラ１は、操作ボード２０の液晶ディスプレイ７９の頁表示３１７を次頁のものに切換え、かつ、ＩＰＰによる裏写り除去処理を該次頁の元画像データに適用して補正画像Ｐおよび裏写り画像ＲｒをえてＭＥＭに更新書き込みしてから、液晶ディスプレイ７９に表示中の裏写り除去条件で「裏写り除去表示」を実行する。
【０１１４】
上記「裏写り除去表示」で処理した補正画像Ｐを液晶ディスプレイ７９に表示しているときに、「元画像に戻す」窓３３１の「元画像に戻す」ボタンにタッチがあると、操作ボード２０がこれを読み込んでシステムコントローラ１に報知し、システムコントローラ１がこれに応答して、元画像Ｏを画像表示領域３２８に表示する、表示の切換えをＩＭＡＣおよび操作ボード２０に指示して、元画像Ｏを切換え表示する。このようにして元画像を表示しているときに、ユーザが「ＯＫ」キー３１３にタッチすると、又はコピースタートキー８０ｃを操作すると、操作ボード２０がこれを読み取ってシステムコントローラ１に報知する。これに応答してシステムコントローラ１は、ＩＭＡＣおよびＣＤＩＣを介して、ＭＥＭより元画像データを読出し、ＩＰＰの「画質処理」４６によってプリンタ１００でプリントするに適した記録用の画像データに変換して、プリンタ１００によってプリントアウトさせる。そして「入力読み取り」に戻る。
【０１１５】
「入力読み取り」で、「裏写り除去解除」キー３１４へのタッチを操作ボードが認知すると、操作ボード２０はこれをシステムコントローラ１に報知して、複写モードの入力画面（図５）に操作ボードの表示を戻す。
【０１１６】
複写モードの入力画面（図５）の「原稿色指定」窓３３２の「原稿色指定」ボタンにタッチがあったときには、操作ボード２０は、原稿色指定設定画面（図１１）を切換え表示する。そして、操作ボード２０に対する入力を読み込む。
【０１１７】
図１１に、コピー指示入力待機画面（図５）を液晶ディスプレイ７９に表示しているときに、該画面上の「原稿色指定」入力窓３１１の原稿色指定ボタンに、ユーザが指又は入力ペンでタッチしたときに、操作ボード２０が液晶ディスプレイ７９に表示する「原稿色指定設定」用の入力画面を示す。原稿色指定において表示する画面は、前述の裏写り除去において表示する画面と共通する部分がある。以下においては、共通する部分の説明は省略する。
【０１１８】
図１１を参照すると、液晶ディスプレイ７９の右辺部の表示条件入力画面中に、原稿色指定モードの選択窓４３０があり、その中に、原稿色指定を単色モードで行うことを指定する「単色」ボタン４３１，画像の特徴領域を検出して特徴領域別で行うことを指定する「画種別」ボタン４３２および裏写り除去の併用を指定する「裏写り除去」ボタン４３３がある。また、原稿色指定で色変換する画像を摘出するための閾値を表示する表示窓４２３がある。
【０１１９】
表示窓４２３には、初期表示では、画像切り出し閾値Ｔｈｓのデフォルト値が表示されるが、ユーザは、アップダウンキー３２２，３２３にタッチして、閾値の値を最小単位づつ大きく或いは小さく変更できる。選択指定ボタン４２９は、色変換に用いる登録色を濃く，淡く或いは登録色通り（中）に調整することを指示するボタンである。
【０１２０】
ユーザが「ＯＫ」キー３２７にタッチすると、操作ボード２０は、そのとき窓３１９，３２４に表示している情報を、読み込む。ＯＫキー３１３にタッチがあると、あるいはコピースタートキー（８０ｃ）が操作されると、操作ボード２０は、原稿色指定条件レジスタの情報を付加して、スキャナ画像読み取りのコマンドをシステムコントローラ１に与える。システムコントローラ１は、ＣＤＩＣとＩＭＡＣに、スキャナ読み取り画像データのＭＥＭへの書込みを設定し、プロセスコントローラ１３１を介してスキャナ１０に画像読み取りコマンドを与える。
【０１２１】
これに応答してスキャナ１０は、ＡＤＦ３０に原稿があるとその読み取りを開始し、原稿の画像を画像データに変換してシェーディング補正してＣＤＩＣを経てＩＰＰに出力する。スキャナ１０はこの画像読み取りを、ＡＤＦ３０にある原稿の全てに順次に行い、全原稿の読み取りを終えるとこれをプロセスコントローラ１３１を介してシステムコントローラ１に報知する。「両面」（図５）が指定されていたときには、各原稿の表面の画像と裏面の画像を読み取る。すなわち両面読み取りを行う。この場合、表面の画像は奇数頁に、裏面の画像は偶数頁に頁付けが行われる。ＡＤＦ３０にもともと原稿がなかった場合には、スキャナ１０は、キャリッジを走査駆動してコンタクトガラス上の原稿画像の読み取りを開始し、これを終えると終了を報知する。
【０１２２】
スキャナ１０が画像読み取りを終えて、読み取り画像データがＭＥＭに書き込まれると、システムコントローラ１は、ＩＭＡＣ，ＣＤＩＣおよびＩＰＰに、ＭＥＭに書込んだ画像データに裏写り除去処理を施してその結果の画像データ（Ｏ，Ｑ，Ｒ）をＭＥＭに書込むデータ処理、を設定する。これに対応してＩＭＡＣは、書込んだ画像データ（複数頁ある場合には第１頁）をＭＥＭから読出してＩＰＰに与え、ＩＰＰの「原稿色指定」４５Ｂで処理して、色変換をした画像Ｐｏｕｔを発生し、ＣＤＩＣに出力し、ＣＤＩＣがこれを１次圧縮し、ＩＭＡＣが２次圧縮してＭＥＭに書込む。複数頁の原稿画像をＭＥＭに書き込んでいるときには、各頁の原稿に対して、色変換画像Ｐｏｕｔの生成とＭＥＭへの書込みを行う。これにより、ＭＥＭには、１頁の原稿に付き、スキャナが読み取った元画像（Ｏ）および色変換画像の画像データが記録される。
【０１２３】
図１４および図１５に、「原稿色指定」４５Ｂの処理内容を示す。これらの図面を参照する。これに進んだときに、裏写り除去の指定があると、ステップ３２〜３６およびＰ４５Ａｐにより、前述の図９に示す「裏写り除去」４５Ａｐと内容が同一の「裏写り除去」を行って、裏写りを除去した除去後（補正画像Ｐ）データおよび除去した画像を表す裏写り画像（Ｒｒ）データを発生し、これら２種の画像データ（２組の画像Ｐ，Ｒｒ）をＣＤＩＣに出力し、ＣＤＩＣがこれらを１次圧縮し、ＩＭＡＣが２次圧縮してＭＥＭに書込む。
【０１２４】
そして、補正画像（Ｐ）を縮小（Ｐｒ）して画像表示領域３２８に表示する（３７）。裏写り除去の指定が無かった場合には、元画像（Ｏ）の縮小画像（Ｏｒ）を表示する（４７，４８）。ここでは、「単色」ボタン４３１により、「単色」が指定されているときには図１２に示す領域指定催促画面を、「画種別」ボタン４３２により「画種別」が指定されているときには、図１３に示す表示画像選択画面を、液晶ディスプレイ７９に表示する（３８，３９／４９，５０）。そしてユーザの領域指定入力を操作ボード２０が読み込む（４０）。なお、「単色」を指定した場合でも、ユーザが領域指定をして「ＯＫ」キー３２７にタッチすると、操作ボード２０は、領域データをセーブして、液晶ディスプレイ７９に図１３に示す表示画像選択画面を表示する。
【０１２５】
「裏写り除去」かつ「単色」の指定がある場合には、ＩＰＰが、縮小補正画像Ｐｒおよび裏写り画像Ｒｒ上の、ユーザが指定した領域の画像データを摘出して（４１）、摘出した補正画像Ｐｒ上の、摘出した裏写り画像Ｒｒが存在しない領域の画像データの平均値（代表色および濃度を表すＲＧＢ画像データ）を算出して（４２）、それを指定色データに設定（登録）する（４３）。そして、元画像Ｏを、画像読み取り閾値Ｔｈｓで２値化して、画像成分有り画素に、設定した指定色データを宛てた出力画像（２値画像データ：１画像分と、指定色データ：ＲＧＢ各データ）Ｐｏｕｔを生成して、ＭＥＭに書込むとともに、縮小して、図１３に示す表示画像選択画面上に表示する（４４）。これにより、色変換後画像が、画像表示領域３２８に表示される。
【０１２６】
「裏写り除去」かつ「画種別」の指定がある場合には、操作ボード２０の液晶ディスプレイ７９に図１３に示す表示画像選択画面を表示する（４５）。この実施例では、原稿色指定処理の中の「画種別」は、文字，線画などの２値画像を指定色（単色）に、写真，絵画などの濃淡画像（網点画像）は、原画像色又はユーザ指定色（単色）に色変換するものであり、表示画像選択画面には、文字，線画などの２値画像に宛てる指定色表示窓５２４，そこに表示する選択色を切り替えるスクロールボタン３２２，３２３，該選択色の色濃度の高低を指定するボタン５２９，写真，絵画などの濃淡画像に宛てる指定色表示窓６２４，そこに表示する選択色を切り替えるスクロールボタン６２２，６２３および該選択色の色濃度の高低を指定するボタン６２９がある。写真，絵画などの濃淡画像に宛てる指定色表示窓６２４の選択色のデフォルトは「画像色」であり、これは、色変換なし（原稿画像色）を意味する。
【０１２７】
図１３に示す表示画像選択画面を表示する（４５）と、ＩＰＰは、指定色表示窓６２４の指定色が「画像色」でないと、補正画像Ｐの写真，絵画などの濃淡画像領域を自動検出して、そこの補正画像データを、指定色表示窓６２４の指定色の、ボタン６２９で指定された濃度のデータに変換し、濃淡画像領域でない領域（文字，線画などの２値画像領域）の画像データは、指定色表示窓５２４の指定色の、ボタン５２９で指定された濃度のデータに変換した色変換画像Ｐｏｕｔを生成してＭＥＭに書き込むとともに、縮小して表示領域３２８に表示する（４６）。指定色表示窓６２４の指定色が「画像色」であるときには、補正画像Ｐの写真，絵画などの濃淡画像領域には、補正画像Ｐの画像データをそのまま宛てる。
【０１２８】
「裏写り除去」なしかつ「単色」の指定がある場合には、上述の「裏写り除去」かつ「単色」の指定がある場合の、補正画像Ｐを元画像Ｏと読み替えた色変換処理を行う（４９〜５４）。
【０１２９】
「裏写り除去」なしかつ「画種別」の指定がある場合には、上述の「裏写り除去」かつ「画種別」の指定がある場合の、補正画像Ｐを元画像Ｏと読み替えた色変換処理を行う（５５，５６）。
【０１３０】
上記「原稿色指定」で処理した色変換画像Ｐｏｕｔを液晶ディスプレイ７９に表示しているときに、ユーザが「ＯＫ」キー３１３にタッチすると、又はコピースタートキー８０ｃを操作すると、操作ボード２０がこれを読み取ってシステムコントローラ１に報知する。これに応答してシステムコントローラ１は、ＩＭＡＣおよびＣＤＩＣを介して、ＭＥＭより色変換画像Ｐｏｕｔを読出し、ＩＰＰの「画質処理」４６によってプリンタ１００でプリントするに適した記録用の画像データに変換して、プリンタ１００によってプリントアウトさせる。そして「入力読み取り」に戻る。
【０１３１】
「入力読み取り」で、「原稿色指定解除」キー４１４へのタッチを操作ボードが認知すると、操作ボード２０はこれをシステムコントローラ１に報知して、複写モードの入力画面（図５）に操作ボード２０の液晶ディスプレイ２９の表示を戻す。
【０１３２】
なお、複写モード以外のモード（スキャナモード，プリントモード，ファクシミリモード，蓄積モード，編集モードおよび登録モード）の入力画面（図示せず）にも、裏写り除去窓３１１および原稿色指定窓３３２があり、上述と同様に、裏写り除去および色変換を行うことができる。
【０１３３】
【発明の効果】
裏画像等を除去した補正画像情報Ｐに基づいて色変換処理を行うことができるので、裏写り等の影響を受けることなく、高画質の色変換画像を得ることが出来る。
【図面の簡単な説明】
【図１】本発明の第１実施例の複合機能がある複写機の外観を示す正面図である。
【図２】図１に示すプリンタ１００の作像機構の概要を示す拡大縦断面図である。
【図３】図１に示す原稿スキャナ１０の読取り機構の概要を示す拡大縦断面図である。
【図４】図１に示す複写機の画像処理システムの概要を示すブロック図である。
【図５】図１および図４に示す操作ボード２０の一部分の拡大平面図である。
【図６】図５に示す液晶ディスプレイ７９の拡大平面図であり、裏写り除去設定の入力画面を表示している状態を示す。
【図７】図５に示す液晶ディスプレイ７９の拡大平面図であり、裏写り除去結果の出力画面を表示している状態を示す。
【図８】図４に示すＩＰＰの一部の処理機能の概要を示すブロック図である。
【図９】図８に示す「裏写り除去」４５Ａの処理機能の概要を示すフローチャートである。
【図１０】図９に示す「片面画像処理の裏写り除去」Ｐ４５Ａｐの内容を示すフローチャートである。
【図１１】図５に示す液晶ディスプレイ７９の拡大平面図であり、原稿色指定の設定入力画面を表示している状態を示す。
【図１２】図５に示す液晶ディスプレイ７９の拡大平面図であり、原稿色指定において単色モードが指定されたときの、単色モードの設定入力画面を表示している状態を示す。
【図１３】図５に示す液晶ディスプレイ７９の拡大平面図であり、原稿色指定において画種別モードが指定されたときの、画種別モードの設定入力画面を表示している状態を示す。
【図１４】図８に示す「原稿色指定」４５Ｂの処理機能の概要の一部を示すフローチャートである。
【図１５】図８に示す「原稿色指定」４５Ｂの処理機能の概要の残部を示すフローチャートである。
【符号の説明】
１０：カラー原稿スキャナ　２０：操作ボード
３０：自動原稿供給装置　　３４：フィニッシャ
３４ｈｓ：積載降下トレイ　３４ｕｄ：昇降台
３４ｓｔ：ソートトレイ群　７９：液晶タッチパネル
１００：カラープリンタ　　ＰＣ：パソコン
ＰＢＸ：交換器　　　　　　ＰＮ：通信回線
１０２：光書込みユニット　１０３，１０４：給紙カセット
１０５：レジストローラ対　１０６：転写ベルトユニット
１０７：定着ユニット　　　１０８：排紙トレイ
１１０Ｍ，１１０Ｃ，１１０Ｙ，１１０Ｋ：感光体ユニット
１１１Ｍ，１１１Ｃ，１１１Ｙ，１１１Ｋ：感光体ドラム
１２０Ｍ，１２０Ｃ，１２０Ｙ，１２０Ｋ：現像器
１６０：転写搬送ベルト　　ＡＣＰ：画像データ処理装置
ＣＤＩＣ：画像データインターフェース制御
ＩＭＡＣ：画像メモリアクセス制御
ＩＰＰ：画像データ処理器
２３１：原稿台ガラス　　２３２：照明ランプ
２３３：第１ミラー　　　２３４：第２ミラー
２３５：第３ミラー　　　２３６：レンズ
２０７：ＣＣＤ　　　　　２３８：走行体モータ
２３９：基準白板　　　　２４０：ガラス
２４１：原稿トレイ　　２４２：ピックアップローラ
２４３：レジストローラ対　２４４：搬送ドラム
２４５：押さえローラ　２４６，２４７Ａ，Ｂ：排紙ローラ
２４８：排紙トレイ兼用の圧板
２４９：基点センサ　　　２５０：軸
２５１：スケール　　　　２５２：反転送り切換え爪
２６０：モータ制御ユニット
【図１】
2004112141.tif 000003
【図２】
2004112141.tif 000004
【図３】
2004112141.tif 000005
【図４】
2004112141.tif 000006
【図５】
2004112141.tif 000007
【図６】
2004112141.tif 000008
【図７】
2004112141.tif 000009
【図８】
2004112141.tif 000010
【図９】
2004112141.tif 000011
【図１０】
2004112141.tif 000012
【図１１】
2004112141.tif 000013
【図１２】
2004112141.tif 000014
【図１３】
2004112141.tif 000015
【図１４】
2004112141.tif 000016
【図１５】
2004112141.tif 000017